(57)【要約】【課題】描画ツールにより描画した画像を、大画面上に表示させることができ、かつ、結果を全体画像として保存することのできるマルチディスプレイシステムの提供。【解決手段】マルチディスプレイシステム１は、画像描画装置２で描画された描画像Ａ１をネットワーク５を介して複数の画像出力装置３に送信する。各画像出力装置３では、描画像Ａ１の部分画像データを生成し、接続されるプロジェクタ４から投射することで、大画面表示領域Ｉ上に描画像Ａ１に応じた画像Ａ２を表示させる。画像Ａ２の保存に際しては、画像描画装置２で保存を選択すると、各画像出力装置３で取得された部分画像データが画像描画装置２に送信され、画像描画装置２では、取得した部分画像データに基づいて、合成画像データを生成し、生成した合成画像データを記録媒体に書き込み保存する。【選択図】図１
2008116874.tif 000002
【特許請求の範囲】
【請求項１】
接続されるポインティングデバイスを操作することにより描画された描画データを生成する画像描画装置と、前記画像描画装置とネットワークを介して接続され、前記画像描画装置で生成された描画データの部分画像データを出力する複数の画像出力装置と、前記複数の画像出力装置のそれぞれに接続される複数の画像表示装置とを備えたマルチディスプレイシステムであって、
前記画像描画装置は、
各画像出力装置との間で前記ネットワークを介してデータの送受信を行うデータ送受信手段と、
前記ポインティングデバイスの操作により描画された描画データを生成する描画データ生成手段と、
各画像出力装置に前記データ送受信手段を介して送信する描画データ送信手段とを備え、
前記画像出力装置は、
前記画像描画装置との間で前記ネットワークを介してデータの送受信を行うデータ送受信手段と、
前記データ送受信手段を介して受信された描画データに基づいて、部分画像データを生成する部分画像データ生成手段と、
生成された部分画像データを、前記画像表示装置に出力する部分画像データ出力手段と、
前記部分画像データ出力手段から出力された部分画像データを取得する部分画像データ取得手段と、
取得された部分画像データを、前記画像描画装置に前記データ送受信手段を介して送信する部分画像データ送信手段とを備え、
前記画像描画装置は、
各画像出力装置から前記データ送受信手段を介して受信された複数の部分画像データを合成する画像データ合成手段と、
合成された合成画像データを、前記画像描画装置から読込・書込可能な記録媒体に書き込む合成画像データ書込手段とを備えていることを特徴とするマルチディスプレイシステム。
【請求項２】
請求項１に記載のマルチディスプレイシステムにおいて、
前記画像出力装置は、
自己が表示すべき部分画像データの表示領域を設定する表示領域設定手段を備えていることを特徴とするマルチディスプレイシステム。
【請求項３】
接続されるポインティングデバイスを操作することにより描画された描画データを生成する画像描画装置と、前記画像描画装置とネットワークを介して接続され、前記画像描画装置で生成された描画データの部分画像データを出力する複数の画像出力装置と、前記複数の画像出力装置のそれぞれに接続される複数の画像表示装置とを備えたマルチディスプレイシステムであって、
前記画像描画装置は、
各画像出力装置との間で前記ネットワークを介してデータの送受信を行うデータ送受信手段と、
前記ポインティングデバイスの操作により描画された描画データを生成する描画データ生成手段と、
生成された描画データに基づいて、複数の部分画像データを生成する部分画像データ生成手段と、
各画像出力装置に前記データ送受信手段を介して送信する部分画像データ送信手段とを
備え、
前記画像出力装置は、
前記画像描画装置との間で前記ネットワークを介してデータの送受信を行うデータ送受信手段と、
前記データ送受信手段で受信された部分画像データを、前記画像表示装置に出力する部分画像データ出力手段と、
前記データ送受信手段を介して受信された部分画像データを取得する部分画像データ取得手段と、
取得された部分画像データを、前記画像描画装置に前記データ送受信手段を介して送信する部分画像データ送信手段とを備え、
前記画像描画装置は、
各画像出力装置から前記データ送受信手段を介して受信された複数の部分画像データを合成する画像データ合成手段と、
合成された合成画像データを、前記画像描画装置から読込・書込可能な記録媒体に書き込む合成画像データ書込手段とを備えていることを特徴とするマルチディスプレイシステム。
【請求項４】
請求項１乃至請求項３のいずれかに記載のマルチディスプレイシステムにおいて、
前記ネットワークには、複数の前記画像描画装置が接続され、
前記画像描画装置は、
自身の描画データ生成手段で生成した描画データを前記記録媒体に保存するか、前記画像データ合成手段で合成された合成画像データを前記記録媒体に保存するかの選択を促す保存データ選択手段を備えていることを特徴とするマルチディスプレイシステム。
【請求項５】
請求項１乃至請求項４のいずれかに記載のマルチディスプレイシステムにおいて、
前記画像描画装置は、
前記複数の画像表示装置により構成される描画領域の設定を行う描画領域設定手段を備えていることを特徴とするマルチディスプレイシステム。
【請求項６】
請求項１乃至請求項５のいずれかに記載のマルチディスプレイシステムにおいて、
前記画像表示装置は、
光源から射出された光束を画像情報に応じて変調して光学像を形成し、拡大投射するプロジェクタであることを特徴とするマルチディスプレイシステム。
【請求項７】
接続されるポインティングデバイスを操作することにより描画された描画データを生成する画像描画装置と、前記画像描画装置とネットワークを介して接続され、前記画像描画装置で生成された描画データの部分画像データを出力する複数の画像出力装置と、前記複数の画像出力装置のそれぞれに接続される複数の画像表示装置とを備えたマルチディスプレイシステム上で実行されるプログラムであって、
前記画像描画装置に、
前記ポインティングデバイスの操作により描画された描画データを生成する手順と、
生成された描画データを、前記ネットワークを介して各画像出力装置に送信する手順とを実行させ、
前記画像出力装置に、
前記画像描画装置から送信された描画データを受信する手順と、
受信された描画データに基づいて、部分画像データを生成する手順と、
生成された部分画像データを、前記画像表示装置に出力する手順と、
前記画像表示装置に出力された部分画像データを取得する手順と、
取得された部分画像データを、前記画像描画装置に送信する手順とを実行させ、
前記画像描画装置に、
各画像出力装置から送信された複数の部分画像データを受信する手順と、
受信された複数の部分画像データを合成する手順と、
合成された合成画像データを、前記画像描画装置から読込・書込可能な記録媒体に書き込む手順とを実行させることを特徴とするプログラム。
【発明の詳細な説明】
【技術分野】
【０００１】
本発明は、マルチディスプレイシステム、及びこのシステム上で実行されるプログラムに関する。
【背景技術】
【０００２】
従来、一画面分の原画像の一部を構成する部分画像を、複数の画像表示装置、例えば、複数のプロジェクタで表示し、各部分画像を組み合わせて大画面表示するマルチディスプレイシステムが知られている（例えば、特許文献１参照）。
ところで、このようなマルチディスプレイシステムで表示された大画面上でユーザ等が簡便な操作によってインタラクティブに描画を行うことができれば、その大画面を巨大なホワイトボードやキャンバスのように活用できることになるため、コミュニケーションツールや創作活動のためのツールとして有用である。
しかし、前記特許文献１に開示された技術では、所定のフォーマットに則った静止画や動画を表示画面上に表示することができるのみであり、ユーザが表示画面上でインタラクティブに描画を行うような配慮はなされていない。
【０００３】
一方、描画ツールを搭載したコンピュータにスキャンコンバータを介して複数の画像表示装置を接続し、スキャンコンバータによりコンピュータから出力された画像を個別に部分画像に切出し、各画像表示装置で部分画像を表示すると、コンピュータのディスプレイ上で描画した画像を、そのまま大画面表示することは可能である。
しかしながら、このような構成では、コンピュータのディスプレイ上に表示されたものと同じ画像を単純に拡大表示することしかできず、拡大された画像の解像度は、コンピュータのディスプレイと同等のものでしかなく、スキャンコンバータに接続されるそれぞれの画像表示装置の解像度を活かした高品質の画像を表示することはできない。
【０００４】
また、複数系統の画像出力（マルチヘッド）が可能なビデオサブシステムを搭載したコンピュータを用い、複数の画像表示装置で構成される大画面上に、描画ツールによって描画した画像を表示する方法も考えられる。
しかしながら、接続できる画像表示装置の数がマルチヘッドの出力系統数に限られてしまうため、画面の拡張性に乏しいという問題がある。仮にこのビデオサブシステムが多数の出力系統を備えていたとしても、多数の出力系統を利用して高解像度な画面を構成すると、処理するコンピュータが１台しかないので、表示処理性能が劣化してしまうという問題がある。
【０００５】
そこで、複数のディスプレイによってマルチディスプレイシステムを構築するにあたり、各ディスプレイにパーソナルコンピュータを接続し、ネットワークを介して接続されたポインティングデバイスにより遠隔操作することにより、等倍の画面を複数表示したり、複数のディスプレイを一画面とみなして変倍画面表示を行う技術が提案されている（例えば、特許文献２参照）。
各パーソナルコンピュータには、マルチディスプレイ全体の大きさを示す全体情報、例えば、６４０×４８０画素のディスプレイを２×２で配列した場合、１２８０×９６０画素といった情報と、自分の表示するべき部分の位置に関する部分情報、例えば、右下、左下といったディスプレイの配列における自己の位置に関する情報とが保持されている。
【０００６】
そして、ポインティングデバイスの操作により所定の位置情報が指定されると、各パーソナルコンピュータは、保持された全体情報及び部分情報に基づいて、指定された位置情
報から自分が表示を担当している領域か否かを判断し、ポインティングデバイスの操作に応じてマウスポインタ等のカーソルの画面表示を行い、大画面表示におけるインタラクティブな操作性を確保している。
【０００７】
【特許文献１】特開２００５−２４４９３１号公報
【特許文献２】特開２００２−５５８０８号公報
【発明の開示】
【発明が解決しようとする課題】
【０００８】
しかしながら、前記特許文献２に開示された技術では、基本的には、操作するポインティングデバイスの操作に応じて複数のパーソナルコンピュータを動作させ、大画面上に表示させるだけのものであり、表示された大画面をホワイトボードやキャンバスのように活用するには不十分である。
また、各パーソナルコンピュータで部分画像の表示処理を行っているため、例えば、描画ツール等を利用して大画面上で作成した画像全体を記憶保存することが考慮されていないという問題がある。
従って、同文献に開示された技術では、コミュニケーションツールや、創作活動のためのツールとしては十分なものであるとはいえない。
【０００９】
本発明の目的は、描画ツールにより描画した画像を、複数の画像表示装置を用いて表示される大画面上にインタラクティブに高品質な画像として表示させることができ、かつ、大画面上で作成した結果を全体画像として保存することのできる、マルチディスプレイシステム、及びこのシステム上で実行されるプログラムを提供することにある。
【課題を解決するための手段】
【００１０】
本発明に係るマルチディスプレイシステムは、
接続されるポインティングデバイスを操作することにより描画された描画データを生成する画像描画装置と、前記画像描画装置とネットワークを介して接続され、前記画像描画装置で生成された描画データの部分画像データを出力する複数の画像出力装置と、前記複数の画像出力装置のぞれぞれに接続される複数の画像表示装置とを備えたマルチディスプレイシステムであって、
前記画像描画装置は、
各画像出力装置との間で前記ネットワークを介してデータの送受信を行うデータ送受信手段と、
前記ポインティングデバイスの操作により描画された描画データを生成する描画データ生成手段と、
各画像出力装置に前記データ送受信手段を介して送信する描画データ送信手段とを備え、
前記画像出力装置は、
前記画像描画装置との間で前記ネットワークを介してデータの送受信を行うデータ送受信手段と、
前記データ送受信手段を介して受信された描画データに基づいて、部分画像データを生成する部分画像データ生成手段と、
生成された部分画像データを、前記画像表示装置に出力する部分画像データ出力手段と、
取得された部分画像データを、前記画像描画装置に前記データ送受信手段を介して送信する部分画像データ送信手段とを備え、
前記画像描画装置は、
各画像出力装置から前記データ送受信手段を介して受信された複数の部分画像データを合成する画像データ合成手段と、
合成された合成画像データを、前記画像描画装置から読込・書込可能な記録媒体に書き込む合成画像データ書込手段とを備えていることを特徴とする。
【００１１】
ここで、ポインティングデバイスとしては、二次元位置座標を簡便に指定することができ、描画に適した種々のデバイスを採用することができ、例えば、ペンタブレット、マウス、タッチパネル、トラックボール等を採用することができる。
また、合成画像データを記録保存する記録媒体は、単体でネットワークに接続される記憶装置でもよく、画像描画装置に内蔵される記憶装置や、いずれかの画像出力装置に内蔵された記憶装置であってもよい。
さらに、描画データ生成手段は、各画像表示装置の解像度と、画像表示装置の台数及びそれらの構成情報とに基づいて、大画面表示領域の表示範囲を取得し、これに基づいて、描画データ書き込み用の領域をフレームバッファに確保しておくのが好ましい。
【００１２】
この発明によれば、各画像出力装置が部分画像データを取得し、データ送信手段を介して画像描画装置に出力し、画像描画装置では、データ受信手段で受信された複数の部分画像データを、画像データ合成手段により合成し、合成画像データ書込手段によって記録媒体に記録保存するように構成されているため、複数の画像表示装置による大画面上で描画された画像データをそのままのイメージで保存することができる。
しかも、描画データ生成手段が大画面表示領域の表示範囲を取得してフレームバッファに書き込み用の領域を確保しているため、各画像出力装置から画像表示装置の解像度に応じた部分画像データを出力することができ、画像表示装置の解像度に応じた高品質な画像データを大画面表示することができる。
【００１３】
本発明では、前記画像出力装置は、
自己が表示すべき部分画像データの表示領域を設定する表示領域設定手段を備えているのが好ましい。
この発明によれば、画像出力装置が表示領域設定手段を備えていることにより、画像描画装置から送信された描画データから自己が表示すべき部分画像の切り出しを行って部分画像データを生成することができるため、画像表示装置の配置に応じた適切な部分画像の表示を行うことができる。
また、各画像出力装置内でこのような部分画像データの生成を行っているため、画像描画装置側では、描画した描画データ全体を送るだけでよいので、画像描画装置側での処理負担を軽減させることができ、表示処理性能の劣化を招くことがない。
【００１４】
前述した発明では、生成された描画データからの部分画像データの切り出しを画像出力装置側で行っていたが、これに限られず、画像描画装置側で部分画像データの切り出しを行ってもよい。
すなわち、本発明に係るマルチディスプレイシステムは、
接続されるポインティングデバイスを操作することにより描画された描画データを生成する画像描画装置と、前記画像描画装置とネットワークを介して接続され、前記画像描画装置で生成された描画データの部分画像データを出力する複数の画像出力装置と、前記複数の画像出力装置のそれぞれに接続される複数の画像表示装置とを備えたマルチディスプレイシステムであって、
前記画像描画装置は、
各画像出力装置との間で前記ネットワークを介してデータの送受信を行うデータ送受信手段と、
前記ポインティングデバイスの操作により描画された描画データを生成する描画データ生成手段と、
生成された描画データに基づいて、複数の部分画像データを生成する部分画像データ生成手段と、
各画像出力装置に前記データ送受信手段を介して送信する部分画像データ送信手段とを備え、
前記画像出力装置は、
前記画像描画装置との間で前記ネットワークを介してデータの送受信を行うデータ送受信手段と、
前記データ送受信手段で受信された部分画像データを、前記画像表示装置に出力する部分画像データ出力手段と、
前記データ送受信手段を介して受信された部分画像データを取得する部分画像データ取得手段と、
取得された部分画像データを、前記画像描画装置に前記データ送受信手段を介して送信する部分画像データ送信手段とを備え、
前記画像描画装置は、
各画像出力装置から前記データ送受信手段を介して受信された複数の部分画像データを合成する画像データ合成手段と、
合成された合成画像データを、前記画像描画装置から読込・書込可能な記録媒体に書き込む合成画像データ書込手段とを備えていることを特徴とする。
このような本発明によっても、前述した作用及び効果と同様の作用及び効果を享受できる。
また、部分画像データの生成を画像描画装置で行っているため、接続される各画像出力装置の処理を軽減することができる。
【００１５】
本発明では、
前記ネットワークには、複数の画像描画装置が接続され、
前記画像描画装置は、自身の描画データ生成手段で生成した画像データを前記記録媒体に保存するか、前記画像データ合成手段で合成された合成画像データを前記記録媒体に保存するかの選択を促す保存データ選択手段を備えているのが好ましい。
【００１６】
この発明によれば、ユーザがこのような保存データ選択手段により保存する画像データを選択することができるため、複数の画像描画装置で複数のユーザが大画面上で画像を表示させた際、表示された全画面を画像データとして保存すれば、共同創作のような描画像を一括して保存できる一方、自己の作品のみを画像データとして保存することもでき、描画された画像データを種々の形態で保存して、利便性が一層向上する。
【００１７】
本発明では、前記画像描画装置は、
前記複数の画像表示装置により構成される描画領域の設定を行う描画領域設定手段を備えているのが好ましい。
この発明によれば、描画領域設定手段を備えていることにより、画像描画装置上で画像表示装置の構成、例えば配置台数などに応じた描画領域の設定をフレキシブルに行うことができる。
【００１８】
本発明では、前記画像表示装置は、
光源から射出された光束を画像情報に応じて変調して光学像を形成し、拡大投射するプロジェクタであるのが好ましい。
この発明によれば、プロジェクタは、投射距離に応じて画面サイズを自由に拡大することができ、しかも、互いに隣接するプロジェクタの投射領域の一部を重ね合わせるだけで全体としてシームレスな大画面を形成できるため、本発明を好適に適用することができる。
【００１９】
以上において、画像描画装置が前述した描画領域設定手段を備え、描画領域設定手段による描画領域の設定に際して、投射領域の一部を重ならせた、重なり合わせた等した場合、画像出力装置は、重なり領域の輝度を減光させる重なり領域減光手段を備えているのが好ましい。
重なり領域減光手段は、具体的には、入力された画像データ中、重なり領域に相当する部分の画像データを、単純に云えば１／２の輝度に減光するものであればよい。
この発明によれば、単純に隣接するプロジェクタの投射領域の一部を重ならせた、重なり合わせた場合、重なり領域の輝度が高くなり、明るい筋の入った画面となってしまうが、重なり領域減光手段を備えていることにより、重なり領域を減光して他の重なっていない、重なり合っていない部分と同程度の輝度にしてシームレスな一体感のある大画面とすることができる。
【００２０】
また、本発明は、前述したマルチディスプレイシステムだけでなく、前述したマルチディスプレイシステム上で実行されるプログラムとして構成することができる。
すなわち、本発明に係るプログラムは、
接続されるポインティングデバイスを操作することにより描画された描画データを生成する画像描画装置と、前記画像描画装置とネットワークを介して接続され、前記画像描画装置で生成された描画データの部分画像データを出力する複数の画像出力装置と、前記複数の画像出力装置のそれぞれに接続される複数の画像表示装置とを備えたマルチディスプレイシステム上で実行されるプログラムであって、
前記画像描画装置に、
前記ポインティングデバイスの操作により描画された描画データを生成する手順と、
生成された描画データを、前記ネットワークを介して各画像出力装置に送信する手順とを実行させ、
前記画像出力装置に、
前記画像描画装置から送信された描画データを受信する手順と
受信された描画データに基づいて、部分画像データを生成する手順と、
生成された部分画像データを、前記画像表示装置に出力する手順と、
前記画像表示装置に出力された部分画像データを取得する手順と、
取得された部分画像データを、前記画像描画装置に送信する手順とを実行させ、
前記画像描画装置に、
各画像出力装置から送信された複数の部分画像データを受信する手順と、
受信された複数の部分画像データを合成する手順と、
合成された合成画像データを、前記画像描画装置から読込・書込可能な記録媒体に書き込む手順とを実行させることを特徴とする。
このような本発明によれば、画像描画装置及び画像出力装置として汎用のコンピュータを採用し、各コンピュータにプログラムをインストールするだけで前述した作用及び効果と同様の作用及び効果を享受できるため、本発明の汎用性が大幅に向上する。
【発明を実施するための最良の形態】
【００２１】
以下、本発明の実施形態について説明する。
〔第１実施形態〕
（１）全体構成
図１には、本発明の第１実施形態に係るマルチプロジェクションシステム１が示されている。
このマルチプロジェクションシステム１は、画像描画装置２、複数の画像出力装置３（Ｖ１〜Ｖ３）、複数のプロジェクタ４（Ｄ１〜Ｄ３）、及びこれらを接続する双方向通信可能なＬＡＮ（Local Area Network）５を備えて構成される。
そして、画像描画装置２の液晶ペンタブレット２Ｔ上でペン２Ｐを操作することにより、描画像Ａ１を作成することができ、作成された描画像Ａ１は、ＴＣＰ／ＩＰプロトコル
によるＬＡＮ５を経由してそれぞれの画像出力装置３に出力され、各画像出力装置３でプロジェクタ４の配置に応じて描画像Ａ１の部分画像が生成され、プロジェクタ４によってタイリング投影される大画面表示領域Ｉ上に画像Ａ２として表示される。
【００２２】
プロジェクタ４は、光源と、この光源から射出された光束を画像情報に応じて変調して光学像を形成し、拡大投射する光学機器であり、光変調装置としては、液晶パネルが採用されている。このプロジェクタ４は、図１に示されるように、プロジェクタ４（Ｄ１）の投射領域Ｉ１の右端とプロジェクタ４（Ｄ２）の投射領域Ｉ２の左端とが重なり合い、プロジェクタ４（Ｄ２）の投射領域Ｉ２の右端とプロジェクタ４（Ｄ３）の左端とが重なり合い、これら投射領域Ｉ１〜Ｉ３によって大画面表示領域Ｉが構成される。
【００２３】
（２）画像描画装置２の構成
画像描画装置２は、図２に示されるように、ポインティングデバイスとしての液晶ペンタブレット２Ｔ、制御装置２３、及びハードディスク２４を備えて構成される。
液晶ペンタブレット２Ｔは、液晶ディスプレイ２１上にマトリクススイッチ２２を重ね合わせて構成される。
マトリクススイッチ２２は、碁盤の目状に複数の電極が配列された透明部材として構成され、電極の配列は、下の液晶ディスプレイ２１の画素配列と対応している。そして、操作者がペン２Ｐで電極の一部を押さえると、縦と横の位置情報が検出され、これを制御装置２３に出力する。
制御装置２３では、予め、液晶ディスプレイ２１に表示されたアイコン、ツールバーメニュー等の座標位置を記憶しておき、マトリクススイッチ２２から出力された位置情報に応じた位置のアイコン等で規定された操作を実行する。
【００２４】
制御装置２３は、画像描画装置２の全体制御を行うとともに、液晶ペンタブレット２Ｔからの位置情報に基づいて、種々のプログラムを実行する演算処理装置を有し、この演算処理装置は、描画データ生成手段２３０、描画データ送信手段２３１、描画領域設定手段２３２、データ送受信手段２３３、保存データ選択手段２３４、画像データ合成手段２３５、データ符号化手段２３６、及び画像データ書込手段２３７を備えて構成される。
描画データ生成手段２３０は、操作者がペン２Ｐで液晶ペンタブレット２Ｔの所定位置を押圧すると、それに応じて描画像Ａ１を生成するプログラムであり、この描画データ生成手段２３０が起動すると、図３に示される操作画面Ｇ１が液晶ディスプレイ２１上に表示される。
【００２５】
操作画面Ｇ１において、上段の領域ＡＲ１には、ツールバーメニューが表示されており、ファイル、編集、表示、ツール等のメニューを選択すると、そのメニューに応じた操作が階層的に表示されるようになっている。中段の領域ＡＲ２には、ツールバーメニュー内の項目を直接操作できるようなショートカットボタンが表示されており、新規作成（New）、ファイルを開く（Open）、ファイルを保存（Save）、印刷（Print）等のボタンを操作すれば、選択された操作が直ちに実行される。
操作画面Ｇ１の中段には、描画領域ＡＲ３が配置され、操作者が描画領域ＡＲ３内でペン２Ｐを押し付けながら移動させることにより、その軌跡に応じた描画像Ａ１が形成されることとなる。
【００２６】
操作画面Ｇ１の最下段の領域ＡＲ４には、描画領域ＡＲ３で描画する際の線の色、線種、太さ等の描画属性情報を設定するボタンが表示されている。
具体的には、右側のボタンＢ１は、カラーパレットであり、このボタンＢ１のいずれかを選択すると、描画領域ＡＲ３で描画した線の色が選択に応じた色に変化する。尚、現在選択中の色は、表示窓Ｂ２に表示される。また、その隣りのボタンＢ３は、描画線の種類を選択する部分であり、ペン、ハケ、筆等の線種を選択して描画することができる。さら
に、その左側のボタンＢ４は、線の太さを選択する部分であり、選択した太さで描画領域ＡＲ３上に描画線が表示されるようになっている。
このような描画データ生成手段２３０により生成された描画データは、描画データ送信手段２３１に出力され、描画データ送信手段２３１は、この描画データをデータ送受信手段２３３及びＬＡＮ５を介して各画像出力装置３に送信する。
【００２７】
描画領域設定手段２３２は、図３におけるツールバー領域ＡＲ１の描画領域設定を選択すると起動し、具体的には図４に示されるようなダイアログボックス画面Ｇ２が液晶ディスプレイ２１上に表示され、操作者に入力を促す。
大画面表示領域Ｉにおける描画領域は、ダイアログボックス画面Ｇ２におけるプロジェクタ４の水平方向配置台数、垂直方向配置台数と、水平方向の重なり部分のピクセル数、垂直方向の重なり部分のピクセル数を決めることにより設定される。
この描画領域設定手段２３２は、例えば、ダイアログボックス画面Ｇ２上で水平方向３台、垂直方向１台、水平方向の重なり部分のピクセル数を２５６ピクセルと設定した場合、各プロジェクタ４の投射領域Ｉ１〜Ｉ３の解像度が、図５（Ａ）に示されるように、縦７６８ピクセル×横１０２４ピクセルであれば、図５（Ｂ）に示されるように、隣接するプロジェクタ４の投射領域を２５６ピクセル分重なり合わせ、図５（Ｃ）に示されるように、大画面表示領域Ｉを縦７６８ピクセル×横２５６０ピクセルを描画領域として設定する。
【００２８】
そして、この描画領域設定手段２３２で設定された描画領域の大きさでフレームバッファ上の描画領域が確保され、図３の描画領域ＡＲ３は、領域ＡＲ２の倍率を変更することにより、画面を拡大、縮小した状態で描画を行うことができる。
尚、図５（Ａ）での各プロジェクタ４の投射領域Ｉ１〜Ｉ３における各座標値は、図５（Ｂ）における大画面表示領域上Ｉでの各プロジェクタ４が担当する投射領域を示している。また、各プロジェクタ４の投射領域Ｉ１〜Ｉ３の解像度は、画像描画装置２が各プロジェクタ４と通信することにより取得してもよいし、操作者がダイアログボックス画面Ｇ２上で入力するようにしてもよい。
【００２９】
図３に戻って、データ送受信手段２３３は、ＬＡＮ５を介して各画像出力装置３とデータの送受信を行う部分であり、前述した描画データ生成手段２３０で生成され、描画データ送信手段２３１から送信された描画データは、このデータ送受信手段２３３によりパケット化され、ＬＡＮ５を介して各画像出力装置３に送信される。
尚、送信される描画データには、線種、色等を含む描画属性情報、描画領域ＡＲ３内の座標位置情報（大画面表示領域Ｉにおける絶対位置情報）、その他の指令情報が含まれ、このデータ送受信手段２３３によるデータの送受信は、伝送速度を重視してＵＤＰ（User
Datagram Protocol）によって行われる。
【００３０】
保存データ選択手段２３４は、図３の操作画面Ｇ１の領域ＡＲ２のファイルを保存（Save）ボタンを押すと起動し、描画領域ＡＲ３上に描画された画像Ａ１を自己のハードディスク２４に保存する。具体的にはこの保存データ選択手段２３４が起動すると、図６に示されるように、ダイアログボックス画面Ｇ３が表示され、操作者にファイル名の入力、ファイル形式の選択、どの画像を保存するかの選択を促す。
そして、操作者が、ダイアログボックス画面Ｇ３の「表示画面のすべてを保存」ボタンを選択すると、画像データ合成手段２３５が起動する。尚、「自身が描いた内容のみを保存」ボタンの詳細な説明については、他の実施形態で説明する。
【００３１】
画像データ合成手段２３５は、詳しくは後述するが、画像出力装置３から送信された部分画像データから大画面表示領域Ｉに表示された画像Ａ２を合成する部分であり、各部分画像データを、画像出力装置３に接続されたプロジェクタ４（Ｄ１〜Ｄ３）の配置に応じ
て組み合わせることにより、合成画像データを生成する。
データ符号化手段２３６は、前記のダイアログボックス画面Ｇ３で指定されたファイル形式で保存対象となる合成画像データを符号化する部分であり、例えば、合成画像データをＪＰＥＧ形式に符号化する。
【００３２】
画像データ書込手段２３７は、符号化された合成画像データをハードディスク２４に書き込む部分であり、これにより、ＪＰＥＧ形式等に符号化された合成画像データが所定のファイル名でハードディスク２４内に記録保存される。合成画像データを再生する場合には、図３の操作画面Ｇ１上でファイルを開く（Open）ボタンを押し、保存されているファイルを選択すれば、画像Ａ１が液晶ディスプレイ２１の描画領域ＡＲ３上に表示されるとともに、プロジェクタ４によって投影される大画面表示領域Ｉにも画像Ａ２が表示される。
尚、本実施形態では、データ符号化手段２３６により圧縮されたデータは、画像データ書込手段２３７によりハードディスク２４内に記録保存されるようになっているが、符号化せずにそのまま記録保存するようにしてもよい。
【００３３】
（３）画像出力装置３の構成
画像出力装置３は、前述した画像描画装置２で生成された描画像Ａ１に係る描画データに基づいて、自己の表示領域に応じた部分画像データを生成し、プロジェクタ４に出力し、プロジェクタ４の投射領域Ｉ１〜Ｉ３に部分画像を表示させるものであり、図７に示されるように、制御装置３１を備えて構成される。
制御装置３１は、画像出力装置３の全体制御を行うとともに、画像描画装置２から送信された描画データの画像処理を行う演算処理装置を有し、この演算処理装置は、プログラムとして実行されるデータ送受信手段３１１、部分画像データ生成手段３１２、表示領域設定手段３１３、重なり領域減光手段３１４、部分画像データ出力手段３１５、部分画像データ取得手段３１６、及び部分画像データ送信手段３１７を備えて構成される。
【００３４】
データ送受信手段３１１は、画像描画装置２からＬＡＮ５を介して送信された描画データを受信したり、後述する部分画像データ取得手段３１６で取得された部分画像データを、ＬＡＮ５を介して画像描画装置２に送信する部分であり、基本的には、画像描画装置２のデータ送受信手段２３３と同様の構成である。
部分画像データ生成手段３１２は、データ送受信手段３１１で受信された描画データに基づいて部分画像データを生成する部分であり、部分画像データの生成に際しては、表示領域設定手段３１３で設定された自己が表示する設定領域に基づいて、部分画像データを生成する。
【００３５】
すなわち、前述した描画領域設定における図５を参照して説明すると、画像描画装置２のフレームバッファ上で確保された図５（Ｃ）に示される縦７６８ピクセル×横２５６０ピクセルの描画領域は、図５（Ａ）に示されるように３台のプロジェクタ４（Ｄ１〜Ｄ３：図１参照）のそれぞれの投射領域Ｉ１〜Ｉ３を組み合わせて構成されることとなる。
従って、例えば、投射領域Ｉ１を担当する画像出力装置３の表示領域設定手段３１３は、投射領域Ｉ１、すなわち、左端の座標位置（０，０）から（１０２３，７６７）の縦７６８ピクセル×横１０２４ピクセルの領域を、自己が表示する領域として設定する。
部分画像データ生成手段３１２は、この表示領域設定手段３１３で設定された領域に基づいて、表示領域内に図１に示されるような画像Ａ２の一部があると判定されたら、表示領域内の画像Ａ２の一部を切り出し、部分画像データとして生成し、出力側のフレームバッファに書き込む。
【００３６】
重なり領域減光手段３１４は、投射領域Ｉ１〜Ｉ３の重なり部分の輝度を下げて、重なり合っていない部分との投射画像の明るさを調整する部分である。具体的には、前述した
図５（Ｂ）を参照して説明すると、投射領域Ｉ１では、右端部の横方向２５６ピクセル分が隣接する投射領域Ｉ２と重なり合っているので、この投射領域Ｉ１を担当する画像出力装置３の重なり領域減光手段３１４は、部分画像データの右端横方向２５６ピクセル分の領域の画素データの輝度値を、例えば、半分に下げて部分画像データの重なり領域の減光を行う。
投射領域Ｉ２を担当する画像出力装置３の重なり領域減光手段３１４も同様に、左端の横２５６ピクセル分の輝度値を下げることにより、重なり領域の輝度は他の重なり合っていない領域の明るさと略同じになる。
【００３７】
部分画像データ出力手段３１５は、プロジェクタ４を構成する液晶パネルの解像度に応じて、部分画像データ生成手段３１２で生成された部分画像データをプロジェクタ４に出力し、プロジェクタ４の投射領域Ｉ１〜Ｉ３に画像Ａ１を構成する部分画像を表示させる。
部分画像データ取得手段３１６は、部分画像データ出力手段３１５から出力された部分画像データを取得する部分であり、取得した部分画像データは、部分画像データ送信手段３１７に出力される。
尚、この部分画像データ取得手段３１６で取得される部分画像データには、表示された画像Ａ２の線種、色等を含む描画属性情報、自己の投射領域Ｉ１〜Ｉ３の表示領域位置座標情報、重なり領域の位置情報及び減光量、及びスムージング処理等の処理結果に関する情報等が含まれる。
部分画像データ送信手段３１７は、部分画像データ取得手段３１６で取得された部分画像データを、データ送受信手段３１１及びＬＡＮ５を介して画像描画装置２に送信する。
【００３８】
（４）マルチプロジェクションシステム１の作用
次に、前述したマルチプロジェクションシステム１の作用を図８及び図９に示されるフローチャートに基づいて説明する。
(4-1)生成した描画データの大画面表示
まず、描画データの大画面表示について、図８に示されるフローチャートに基づいて説明する。
画像描画装置２上で操作者が所定のアイコンをペン２Ｐで選択すると、プログラムとしての描画データ生成手段２３０が起動し（処理Ｓ１）、図３に示されるような操作画面Ｇ１が画像描画装置２の液晶ディスプレイ２１上に表示される（処理Ｓ２）。
操作者がペン２Ｐを用いて操作画面Ｇ１の描画領域Ｓ３内の所定位置を押圧すると、その位置がマトリクススイッチ２２で検出され、描画データ生成手段２３０は、検出位置に基づいて、描画データを生成する（処理Ｓ３）。
描画データ送信手段２３１は、描画データ生成手段２３０で生成された描画データを、データ送受信手段２３３からＬＡＮ５を経由して画像出力装置３（Ｖ１〜Ｖ３）に送信する（処理Ｓ４）。
以後、描画データ生成手段２３０は、操作者がペン２Ｐを操作してさらに描画を行えば、処理Ｓ３及び処理Ｓ４を繰り返し、更新された新たな描画データを画像出力装置３に送信する（処理Ｓ５）。
【００３９】
送信された描画データは、各画像出力装置３のデータ送受信手段３１１で受信され（処理Ｓ６）、部分画像データ生成手段３１２は、受信された描画データから、自己が表示すべき領域内に描画データの一部が存在するか否かを判定する（処理Ｓ７）。
部分画像データ生成手段３１２は、自己が表示すべき領域内に描画データの一部が存在する、と判定されたら、表示領域設定手段３１３で設定された自己の表示領域座標に基づいて、描画データの切り出しを行って部分画像データを生成する（処理Ｓ８）。ない場合には、そのまま次の処理に移行する。
【００４０】
重なり領域減光手段３１４は、重なり領域に相当する部分の輝度値が下がるように減光量を設定し、部分画像データの重なり領域に相当する部分の減光処理を行う（処理Ｓ９）。
部分画像データ出力手段３１５は、減光処理が行われた部分画像データをフレームバッファに書き込み、接続されるプロジェクタ４に出力し（処理Ｓ１０）、各プロジェクタ４（Ｄ１〜Ｄ３）では、入力された部分画像データに基づいて、投射領域Ｉ１〜Ｉ３上に投射画像を形成し、これらが組み合わされて画像Ａ２が大画面表示領域Ｉ内に拡大画像として表示される（処理Ｓ１１）。
マルチプロジェクションシステム１がこれらの処理を実行することにより、操作者は、画像描画装置２上で描画するだけで、大画面表示領域Ｉをあたかも巨大なホワイトボードとして利用することが出来る。
【００４１】
(4-2)描画データの保存
次に大画面表示領域Ｉ上に表示された画像Ａ２の保存について、図９に示されるフローチャートに基づいて説明する。
描画データ生成手段２３０は、操作者が図３に示される操作画面Ｇ１の領域ＡＲ２のファイルを保存（Save）ボタンを押圧するか否かを監視し（処理Ｓ２１）、同ボタンが押圧されたら、保存データ選択手段２３４は、図６に示されるダイアログボックス画面Ｇ３を液晶ディスプレイ２１上に表示して、ファイル名の入力、ファイル形式及び保存する描画データの選択を促す（処理Ｓ２２）。
【００４２】
操作者が保存データを「表示画面の内容をすべて保存」を選択すると、描画データ生成手段２３０は、各画像出力装置３（Ｖ１〜Ｖ３）に対して、それぞれが表示する部分画像データの取得をする旨の指令を送信する（処理Ｓ２３）。
各画像出力装置３の部分画像データ取得手段３１６は、画像描画装置２からの指令に基づいて、まず、現在プロジェクタ４に出力しているフレームバッファ内の画像データをロックしてフレームバッファのデータ更新を停止させる（処理Ｓ２４）。尚、フレームバッファをロックするスレッドとしては、初期値１としたセマフォ、ミューテックス等を利用することができる。
【００４３】
フレームバッファがロックされたら、部分画像データ取得手段３１６は、フレームバッファ内の部分画像データを取得し（処理Ｓ２５）、部分画像データの取得が終了したら、フレームバッファのロックを解除する（処理Ｓ２６）。
部分画像データ取得手段３１６で取得された部分画像データは、部分画像データ送信手段３１７に出力され、部分画像データ送信手段３１７は、取得された部分画像データをデータ送受信手段３１１からＬＡＮ５を経由して画像描画装置２に送信する（処理Ｓ２７）。
【００４４】
画像描画装置２の画像データ合成手段２３５は、すべての画像出力装置３（Ｖ１〜Ｖ３）から部分画像データが送信されるまで待機して（処理Ｓ２８）、すべての部分画像データが取得されたら、各部分画像データを組み合わせて合成画像データを生成する（処理Ｓ２９）。
合成画像データが生成されたら、データ符号化手段２３６は、前記のダイアログボックス画面Ｇ３で指定されたフォーマットにしたがって合成画像データの符号化を行う（処理Ｓ３０）。
合成画像データの符号化が終了したら、画像データ書込手段２３７は、符号化された合成画像データをハードディスク２４にファイルとして書込保存する（処理Ｓ３１）。
このように本実施形態のマルチプロジェクションシステム１によれば、操作者がペン２Ｐで描画し、大画面表示領域Ｉに表示された画像Ａ１をそのままの状態でハードディスク２４等の記録媒体に書き込んで保存することができる。
【００４５】
〔第２実施形態〕
次に、本発明の第２実施形態について説明する。尚、以下の説明では、既に説明した部分と同一の部分については、同一符号を付してその説明を省略する。
前述した第１実施形態では、画像描画装置２は、生成した描画データをすべての画像出力装置３に送信し、各画像出力装置３においては、表示領域設定手段３１３で自己の担当する投射領域Ｉ１〜Ｉ３に応じて、部分画像データ生成手段３１２が描画データの一部を切り出すことで部分画像データを生成し、プロジェクタ４に出力していた。
これに対して、第２実施形態に係るマルチプロジェクションシステム６は、図１０に示されるように、接続形態こそ第１実施形態と同様であるが、画像描画装置７で描画データの生成を行った後、部分画像データを生成し、各画像出力装置８の担当投射領域Ｉ１〜Ｉ３に応じた部分画像データを各画像出力装置８に送信している点が相違する。
【００４６】
（１）マルチプロジェクションシステム６の構成
すなわち、マルチプロジェクションシステム６を構成する画像描画装置７は、図１１に示されるように、第１実施形態に係る画像描画装置２との対比において、プログラムとして実行される部分画像データ生成手段７１１が付加されている。
部分画像データ生成手段７１１は、描画データ生成手段２３０で生成された描画像Ａ１を、接続される画像出力装置８（Ｖ１〜Ｖ３）に応じて部分画像を生成し、データ送受信手段２３３を介して各画像出力装置８に送信する。
【００４７】
具体的には、部分画像データ生成手段７１１は、描画領域設定手段２３２で設定された各画像出力装置８（Ｖ１〜Ｖ３）の担当投射領域Ｉ１〜Ｉ３に基づいて、描画データ生成手段２３０で生成された描画データを切り出して部分画像データを生成する。
この部分画像データ生成手段７１１は、例えば、描画領域設定手段２３２で設定された図１２（Ａ）に示されるような大画面表示領域Ｉから、図１２（Ｂ）に示されるような各画像出力装置８（Ｖ１〜Ｖ３）の担当投射領域Ｉ１〜Ｉ３に応じて描画データを切り出すことにより、部分画像データを生成する。
部分画像データ送信手段７１２は、生成された部分画像データを、データ送受信手段２３３及びＬＡＮ５を介して各画像出力装置８に送信する部分である。
送信される部分画像データは、画像出力装置８に応じて異なり、例えば、図１２（Ｃ）に示されるように、画像出力装置８（Ｖ１）であれば、自己の担当投射領域Ｉ１に応じた部分画像データであり、画像出力装置８（Ｖ２）であれば、自己の担当投射領域Ｉ２に応じた部分画像データとなる。
【００４８】
前述したように、画像描画装置７には担当投射領域Ｉ１〜Ｉ３が設定された部分画像データが送信されるため、画像出力装置８の制御装置８１は、図１３に示されるように、データ送受信手段３１１、重なり領域減光手段３１４、部分画像データ出力手段３１５、部分画像データ取得手段３１６、及び部分画像データ送信手段３１７を備え、各手段の動作は第１実施形態と同様であり、データ送受信手段３１１で受信された部分画像データは、重なり領域減光手段３１４で重なり領域の減光が行われるだけで、そのまま部分画像データ出力手段３１５からプロジェクタ４に出力するようになっている。
【００４９】
この様な第２実施形態に係るマルチプロジェクションシステム６では、図１４に示されるフローチャートに基づいて、大画面表示領域Ｉへの画像Ａ２の表示が行われる。
第１実施形態の場合と同様に、画像描画装置７上で操作者がペン２Ｐにより所定のアイコンを選択すると、プログラムとしての描画データ生成手段２３０が起動し（処理Ｓ１）、第１実施形態と同様の操作画面が画像描画装置７の液晶ディスプレイ２１上に表示される（処理Ｓ２）。
操作者がペン２Ｐを用いて操作画面の描画領域内の所定位置を押圧すると、その位置が
マトリクススイッチ２２で検出され、描画データ生成手段２３０は、検出位置に基づいて、描画データを生成する（処理Ｓ３）。
【００５０】
部分画像データ生成手段７１１は、担当投射領域Ｉ１〜Ｉ３に基づいて、画像出力装置８（Ｖ１〜Ｖ３）の部分画像データを生成する（処理Ｓ３２）。
部分画像データ送信手段７１２は、担当投射領域Ｉ１〜Ｉ３に応じて生成された部分画像データを、データ送受信手段２３３を介して、各画像出力装置８（Ｖ１〜Ｖ３）に送信する（処理Ｓ３３）。
以後、描画データ生成手段２３０は、操作者がペン２Ｐを操作してさらに描画を行えば、処理Ｓ３、処理Ｓ３１乃至処理Ｓ３３を繰り返し、更新された新たな描画データに応じた部分画像データを画像出力装置８に送信する（処理Ｓ３４）。
【００５１】
各画像出力装置８のデータ送受信手段３１１が画像描画装置７からの部分画像データを受信すると、重なり領域減光手段３１４による重なり領域の減光処理を行った後（処理Ｓ３６）、部分画像データをフレームバッファに書き込んでプロジェクタ４に出力し（処理Ｓ３７）、プロジェクタ４では、これに基づいて担当投射領域Ｉ１〜Ｉ３に応じた部分画像の表示を行う（処理Ｓ３８）。
一方、部分画像データの取得、部分画像データに基づく画像データの合成、及び合成画像データの符号化、書き込み保存は、前述した第１実施形態と同様なので、その説明を省略する。
このような第２実施形態に係るマルチプロジェクションシステム６においても、第１実施形態で述べた効果と同様の効果を享受することができる。
【００５２】
〔第３実施形態〕
次に、本発明の第３実施形態について説明する。
前述の第１実施形態では、画像描画装置２は、ＬＡＮ５上に１台しか接続されておらず、ダイアログボックス画面Ｇ３上で「表示画面の内容をすべてを保存」ボタンを選択しても、接続された画像描画装置２で描画されて、大画面表示領域Ｉに表示された画像Ａ２のみが保存の対象となっていた。
【００５３】
これに対して、第３実施形態に係るマルチプロジェクションシステム９では、図１５に示されるように、ＬＡＮ５には、複数台の画像描画装置２が接続されており、各々の画像描画装置２の液晶ペンタブレット２Ｔ１〜２Ｔ３上で描画した描画像Ａ１１〜Ａ１３の描画データをそれぞれ画像出力装置３に出力し、大画面表示領域Ｉ上に同時に画像Ａ２１〜Ａ２３として表示させている点が相違する。尚、相違は画像描画装置２の接続数だけであり、これ以外の画像描画装置２、画像出力装置３、プロジェクタ４の構造等は第１実施形態と同様である。
【００５４】
このようなマルチプロジェクションシステム６において、描画像Ａ１１を描画している画像描画装置２の操作者が、ファイルを保存（Save）ボタンを押して、保存データ選択手段によりダイアログボックス画面Ｇ３を表示させ、「表示画面の内容すべてを保存」ボタンを選択すると、前述した第１実施形態と同様の処理手順によって大画面表示領域Ｉ中に表示されているすべての画像Ａ２１〜Ａ２３の部分画像データが各画像出力装置３で取得され、画像描画装置２の画像データ合成手段は、取得された部分画像データに基づいて、画像データファイルＦ１のようにすべての画像描画装置２で描画生成された画像Ａ２１〜Ａ２３を記録保存する。
一方、ダイアログボックス画面Ｇ３上で「自身が描いた内容のみを保存」ボタンを選択すると、画像描画装置２の画像データ合成手段は、自己のフレームバッファ上に書き込まれた画像Ａ２１のみを表示させる画像データを取得し、画像データファイルＦ２のように画像Ａ２１のみを記録保存する。
【００５５】
このようにマルチプロジェクションシステム６によれば、複数の画像描画装置２で複数の操作者が大画面表示領域Ｉで画像Ａ２１〜Ａ２３を表示させた際、表示された全画面を画像データファイルＦ１として保存すれば、共同創作のような画像Ａ２１〜Ａ２３を一括して保存できる一方、自己の画像Ａ２１のみを画像データファイルＦ２として保存することができ、描画された画像データを種々の形態で保存して、利便性が一層向上する、という効果がある。
【００５６】
〔実施形態の変形〕
尚、本発明は、前述した各実施形態に限定されるものではなく、以下に示すような変形も含むものである。
前記各実施形態では、ポインティングデバイスとして液晶ペンタブレット２Ｔ、２Ｔ１〜２Ｔ３を採用していたが、本発明はこれに限らず、例えば、マウス、トラックボール、デジタイザ等であってもよく、要するに描画する際に描画位置の指定と、連続線等を引けるデバイスであればよい。
前記各実施形態では、画像表示装置としてプロジェクタを採用していたが、これに限られず、ＣＲＴ、ＰＤＰ等の画像表示装置に本発明を採用してもよい。
その他、本発明の実施の際の具体的な構造及び形状等は、本発明の目的を達成できる範囲で他の構造等としてもよい。
【図面の簡単な説明】
【００５７】
【図１】本発明の第１実施形態に係るマルチディスプレイシステムの構造を表す模式図。
【図２】前記実施形態における画像描画装置の構造を表すブロック図。
【図３】前記実施形態における画像描画装置の操作画面を表す模式図。
【図４】前記実施形態における描画領域設定の画面を表す模式図。
【図５】前記実施形態における描画領域設定の方法を説明するための模式図。
【図６】前記実施形態における保存データ選択の画面を表す模式図。
【図７】前記実施形態における画像出力装置の構造を表すブロック図。
【図８】前記実施形態の作用を説明するためのフローチャート。
【図９】前記実施形態の作用を説明するためのフローチャート。
【図１０】本発明の第２実施形態に係るマルチディスプレイシステムの構造を表す模式図。
【図１１】前記実施形態における画像描画装置の構造を表すブロック図。
【図１２】前記実施形態における領域変換の方法を説明するための模式図。
【図１３】前記実施形態における画像出力装置の構造を表すブロック図。
【図１４】前記実施形態の作用を説明するためのフローチャート。
【図１５】本発明の第３実施形態に係るマルチディスプレイシステムの構造を表す模式図。
【図１６】前記実施形態における画像データのファイル保存方法を説明するための模式図。
【符号の説明】
【００５８】
１、６、９…マルチプロジェクションシステム、２Ｔ、２Ｔ１〜２Ｔ３…液晶ペンタブレット、２、７…画像描画装置、３、８…画像出力装置、４…プロジェクタ、２４…ハードディスク、２３０…描画データ生成手段、２３１…描画データ送信手段、２３２…描画領域設定手段、２３３…データ送受信手段、２３４…保存データ選択手段、２３５…画像データ合成手段、２３７…画像データ書込手段、３１１…データ送受信手段、３１２…部分画像データ生成手段、３１３…表示領域設定手段、３１４…重なり領域減光手段、３１５…部分画像データ出力手段、３１６…部分画像データ取得手段、３１７…部分画像デー
タ送信手段、７１１…部分画像データ生成手段、７１２…部分画像データ送信手段
【図１】
2008116874.tif 000003
【図２】
2008116874.tif 000004
【図３】
2008116874.tif 000005
【図４】
2008116874.tif 000006
【図５】
2008116874.tif 000007
【図６】
2008116874.tif 000008
【図７】
2008116874.tif 000009
【図８】
2008116874.tif 000010
【図９】
2008116874.tif 000011
【図１０】
2008116874.tif 000012
【図１１】
2008116874.tif 000013
【図１２】
2008116874.tif 000014
【図１３】
2008116874.tif 000015
【図１４】
2008116874.tif 000016
【図１５】
2008116874.tif 000017
【図１６】
2008116874.tif 000018